(57)【要約】      （修正有）【課題】植物にとって適切な環境を提供する。【解決手段】ダクト30は、イチゴの苗14の配列方向に沿って延設され、苗14に空気を供給するための孔34が複数形成された第３ダクト部33、を有する。第１風量調節ユニット41は、第３ダクト部33の一端側から該ダクト部33内への第１風量A1を調節する。第２風量調節ユニット42は、第３ダクト部33の他端側から該ダクト部33内への第２風量A2を調節する。制御部50は、第１風量A1と第２風量A2とを変化させる制御を行う。【選択図】図１
2017046625.tif 000002
【特許請求の範囲】
【請求項１】
植物（14）の配列方向に沿って延設され上記植物（14）に空気を供給するための吹き出し開口（34）が複数形成された空気供給路（33）、を有するダクト（30）と、
上記空気供給路（33）の一端側から該空気供給路（33）内へと向かう空気流の風量である第１風量を調節する第１風量調節部（41）と、
上記空気供給路（33）の他端側から該空気供給路（33）内へと向かう空気流の風量である第２風量を調節する第２風量調節部（42）と、
上記第１風量と上記第２風量とを変化させる制御を行う制御部（50）と
を備えることを特徴とする栽培室用送風システム。
【請求項２】
請求項１において、
上記制御部（50）は、上記吹き出し開口（34）を介して上記植物（14）に空気が供給されることによって該植物（14）の周囲温度及び該植物（14）に当たる風速の少なくとも一方が概ね均一となるように、上記第１風量と上記第２風量とを変化させる
ことを特徴とする栽培室用送風システム。
【請求項３】
請求項２において、
上記制御部（50）は、上記第１風量と上記第２風量とを、時間の経過に応じて変化させる
ことを特徴とする栽培室用送風システム。
【請求項４】
請求項３において、
上記制御部（50）は、上記第１風量と上記第２風量との合計風量を一定に保ちながら、上記第１風量を増大させつつ上記第２風量を減少させ、次いで上記第１風量を減少させつつ上記第２風量を増大させる動作を、時間の経過と共に上記第１風量調節部（41）及び上記第２風量調節部（42）に繰り返し実行させる
ことを特徴とする栽培室用送風システム。
【請求項５】
請求項１において、
上記制御部（50）は、上記植物（14）の生長過程に応じて、上記第１風量と上記第２風量とを変化させる
ことを特徴とする栽培室用送風システム。
【発明の詳細な説明】
【技術分野】
【０００１】
本発明は、栽培室内において植物に空気を送るためのシステムに関するものである。
【背景技術】
【０００２】
栽培室内にて野菜等の植物を栽培する際、植物を生長させるためには、植物に空気を送ることが要求される。このような要求に関連する技術として、例えば特許文献１が知られている。
【０００３】
特許文献１では、植物の配列に沿ってダクトが延設されており、そのダクトには、植物の配列方向に沿って、植物に向けて空気を放出させるための孔が複数設けられている。これにより、空気は、ダクトを通過後、孔を介して植物に送られる。
【先行技術文献】
【特許文献】
【０００４】
【特許文献１】特開２００９−９５２９３号公報
【発明の概要】
【発明が解決しようとする課題】
【０００５】
特許文献１では、ダクトの一端側のみからダクト内に空気が供給される。しかし、このような構成では、ダクトにおける孔の位置によって気圧が異なるため、孔から植物に向けて吹き出される風量が孔の位置に応じて異なった状態が保たれることになる。すると、各植物に届く風量は、植物の位置に応じて不均一な状態のままとなり、植物に届く風量が植物にとって必ずしも適切とは言い難く、場合によっては植物の生長速度にムラが生じる可能性もある。
【０００６】
本発明は、かかる点に鑑みてなされたものであり、その目的は、適切な風量を植物に供給し、植物にとって適切な環境を提供することである。
【課題を解決するための手段】
【０００７】
第１の発明は、植物（14）の配列方向に沿って延設され上記植物（14）に空気を供給するための吹き出し開口（34）が複数形成された空気供給路（33）、を有するダクト（30）と、上記空気供給路（33）の一端側から該空気供給路（33）内へと向かう空気流の風量である第１風量を調節する第１風量調節部（41）と、上記空気供給路（33）の他端側から該空気供給路（33）内へと向かう空気流の風量である第２風量を調節する第２風量調節部（42）と、上記第１風量と上記第２風量とを変化させる制御を行う制御部（50）とを備えることを特徴とする栽培室用送風システムである。
【０００８】
ここでは、空気供給路（33）内には、両端から空気が流入できるようになっており、空気供給路（33）内に流入した空気は吹き出し開口（34）を介して植物（14）に供給される。特にここでは、第１風量調節部（41）の第１風量（A1）と第２風量調節部（42）の第２風量（A2）とは、常に一定ではなく、変化する。例えば、空気供給路（33）の一端側からの第１風量（A1）が他端側からの第２風量（A2）よりも高い状態から第１風量（A1）と第２風量（A2）とが同等である状態に変化することができる。このように、第１風量（A1）と第２風量（A2）とが変化することで、吹き出し開口（34）を介して植物（14）に届く風量を変化させることができるため、栽培室用送風システム（10）は、植物（14）に適した環境を提供することができる。
【０００９】
第２の発明は、第１の発明において、上記制御部（50）は、上記吹き出し開口（34）を介して上記植物（14）に空気が供給されることによって該植物（14）の周囲温度及び該植物（14）に当たる風速の少なくとも一方が概ね均一となるように、上記第１風量と上記第２風量とを変化させることを特徴とする栽培室用送風システムである。
【００１０】
これにより、植物（14）の周囲温度の温度ムラや植物（14）に当たる風速のムラは生じにくくなり、植物（14）の生長は概ね均一となる。
【００１１】
第３の発明は、第２の発明において、上記制御部（50）は、上記第１風量と上記第２風量とを、時間の経過に応じて変化させることを特徴とする栽培室用送風システムである。
【００１２】
第４の発明は、第３の発明において、上記制御部（50）は、上記第１風量と上記第２風量との合計風量を一定に保ちながら、上記第１風量を増大させつつ上記第２風量を減少させ、次いで上記第１風量を減少させつつ上記第２風量を増大させる動作を、時間の経過と共に上記第１風量調節部（41）及び上記第２風量調節部（42）に繰り返し実行させることを特徴とする栽培室用送風システムである。
【００１３】
これにより、植物（14）に供給される風量は、積算すると植物（14）の位置に限らず概ね一定となる。従って、植物（14）の周囲温度の温度ムラや植物（14）に当たる風速のムラはより生じにくくなり、植物（14）の生長はより均一となる。
【００１４】
第５の発明は、第１の発明において、上記制御部（50）は、上記植物（14）の生長過程に応じて、上記第１風量と上記第２風量とを変化させることを特徴とする栽培室用送風システムである。
【００１５】
これにより、植物（14）の周囲温度は、植物（14）の生長過程に応じた温度となることができる。従って、植物（14）の生長速度のバラツキは生じにくくなる。
【発明の効果】
【００１６】
本発明によれば、栽培室用送風システム（10）は、植物（14）に適した環境を提供することができる。
【００１７】
また、上記第２の発明によれば、植物（14）の周囲温度の温度ムラや植物（14）に当たる風速のムラは生じにくくなり、植物（14）の生長は概ね均一となる。
【００１８】
また、上記第３の発明及び第４の発明によれば、植物（14）の周囲温度の温度ムラや植物（14）に当たる風速のムラは、より生じにくくなり、植物（14）の生長は、より均一となる。
【００１９】
また、上記第５の発明によれば、植物（14）の生長速度のバラツキは生じにくくなる。
【図面の簡単な説明】
【００２０】
【図１】図１は、栽培室用送風システムの模式図である。
【図２】図２は、第３ダクト部の各孔から吹き出される空気の温度が、孔の位置及び第１風量及び第２風量の割合に応じて異なっていることを説明するためのグラフである。
【図３】図３は、第１風量及び第２風量の割合を、時間の経過に応じて異ならせる制御を表す図である。
【発明を実施するための形態】
【００２１】
以下、本発明の実施形態を図面に基づいて詳細に説明する。なお、以下の実施形態は、本質的に好ましい例示であって、本発明、その適用物、あるいはその用途の範囲を制限することを意図するものではない。
≪第１実施形態≫
＜構成＞
図１に係る栽培室用送風システム（10）は、植物工場の栽培室（S）内に設けられており、栽培室（S）内のイチゴの苗（14）に空気を供給する。
【００２２】
ここで、栽培室（S）には、栽培棚（12）が設置されている。栽培棚（12）には、培地が収容された水平方向に細長い容器（図示せず）にイチゴの苗（14）が概ね等間隔にて植えられたもの、が載置されている。図示していないが、栽培棚（12）付近には、イチゴの苗（14）を照らす照明機器が設置されていてもよい。容器及び栽培棚（12）は、例えば白色のビニルシートで構成されたフィルム部材によって、一体的に覆われていてもよい。
【００２３】
なお、図１では、イチゴの苗（14）の列が１列のみである状態を例示しているが、イチゴの苗（14）の列の数は、複数であってもよい。
【００２４】
栽培室用送風システム（10）は、図１に示すように、空気調和装置（20）と、ダクト（30）と、第１風量調節ユニット（41）と、第２風量調節ユニット（42）と、制御部（50）とを備える。
【００２５】
−空気調和装置−
空気調和装置（20）は、例えばヒートポンプ式の空気調和装置で構成される。空気調和装置（20）の吸い込み口は、栽培室（S）外または栽培室（S）内と繋がっており、空気調和装置（20）の吹き出し口（21）は、ダクト（30）の一端と接続されている。空気調和装置（20）は、栽培室（S）内または栽培室（S）外の空気を吸い込むと、吸い込んだ空気を冷却または加熱する。空気調和装置（20）は、冷却後の空気または加熱後の空気を、空調空気としてダクト（30）内に吹き出す。
【００２６】
−ダクト−
ダクト（30）は、空気調和装置（20）から吹き出された空調空気が通過するためのものであって、ポリ塩化ビニルやポリエチレン等の樹脂によってパイプ状に形成されている。ダクト（30）は、第１ダクト部（31）、第２ダクト部（32）、及び第３ダクト部（33）（空気供給路に相当）を有する。
【００２７】
第１ダクト部（31）の一端は、空気調和装置（20）の吹き出し口（21）と接続され、第１ダクト部（31）の他端は、第１風量調節ユニット（41）に接続されている。第２ダクト部（32）の一端は、第１ダクト部（31）の途中（吹き出し口（21）と第１風量調節ユニット（41）との間）に接続され、第２ダクト部（32）の他端は、第２風量調節ユニット（42）に接続されている。第３ダクト部（33）の一端は、第１風量調節ユニット（41）に接続され、第３ダクト部（33）の他端は、第２風量調節ユニット（42）に接続されている。
【００２８】
特に、第３ダクト部（33）は、イチゴの苗（14）の配列方向に沿って延設されている。第３ダクト部（33）の表面のうちイチゴの苗（14）側を向く部分には、複数の孔（34）が形成されている。孔（34）は、第３ダクト部（33）の長手方向、即ちイチゴの苗（14）の配列方向に沿って、概ね等間隔に形成されており、イチゴの苗（14）に空気を供給するための吹き出し開口であると言える。空気調和装置（20）から吹き出されダクト（30）内を通過してきた空調空気（冷却後の空気または加熱後の空気）は、複数の孔（34）を介してダクト（30）外に吹き出され、イチゴの苗（14）付近に到達する。
【００２９】
上記孔（34）の大きさ及び数は、第３ダクト部（33）の長さ及び孔（34）からイチゴの苗（14）までの最短距離等に応じて、適宜決定されることが好ましい。
【００３０】
−風量調節ユニット−
第１及び第２風量調節ユニット（41,42）は、第３ダクト部（33）内の空気の流量を調節するためのものであって、ファンまたはダンパによって構成される。以下では、第１及び第２風量調節ユニット（41,42）がファンで構成される場合を例に採る。
【００３１】
第１風量調節ユニット（41）は、第３ダクト部（33）の一端側から第３ダクト部（33）内へと向かう空気流の第１風量（A1）を調節する。第２風量調節ユニット（42）は、第３ダクト部（33）の他端側から第３ダクト部（33）内へと向かう空気流の第２風量（A2）を調節する。
【００３２】
これにより、空気調和装置（20）から吹き出された空調空気は、ダクト（30）の第１ダクト部（31）に流入すると、その一部が、第２風量調節ユニット（42）によって第１ダクト部（31）の途中で第２ダクト部（32）へと分岐して流れる。従って、例えば第１風量調節ユニット（41）及び第２風量調節ユニット（42）がファンで構成されている場合、双方の風量調節ユニット（41,42）が運転していれば、第３ダクト部（33）には、両端から空調空気が流入する。何れか一方の風量調節ユニット（41,42）が運転していれば、第３ダクト部（33）には、運転している風量調節ユニット（41,42）側のみから空調空気が流入する。
【００３３】
−制御部−
制御部（50）は、ＣＰＵ及びメモリ等で構成されるコンピュータであって、第１風量調節ユニット（41）及び第２風量調節ユニット（42）と電気的に接続されている。ＣＰＵがメモリ内に格納されているプログラムを読み出して実行することで、制御部（50）は、第１風量調節ユニット（41）及び第２風量調節ユニット（42）の運転動作を制御する。
【００３４】
特に、制御部（50）は、第３ダクト部（33）の複数の孔（34）を介して、空調空気を全てのイチゴの苗（14）に該苗（14）にとって適切な風速にて行き渡らせることによって、全てのイチゴの苗（14）の周囲温度が概ね均一となるように、第１風量（A1）と第２風量（A2）とを変化させる制御を行う。
【００３５】
＜風量を変化させる制御について＞
図２では、第３ダクト部（33）における各孔（34）の位置を横軸、各孔（34）から吹き出される空気温度を縦軸として、第１風量（A1）及び第２風量（A2）の割合を変化させた際の各孔（34）の位置における空気の温度を、グラフとして、３パターンのみ例示している。図２は、空気調和装置（20）が冷房運転を行うことを前提としている。
【００３６】
図２（ａ）では、第１風量調節ユニット（41）を運転させて第１風量（A1）を１００％（最強）とする一方で、第２風量調節ユニット（42）を停止させて第２風量（A2）を０％とした場合を表している。図２（ａ）では、第１風量調節ユニット（41）のみが運転しているため、第３ダクト部（33）内には、図１及び図２の左側のみから冷たい空気が流入し、当該空気は各孔（34）から第３ダクト部（33）外へと吹き出される。故に、図２（ａ）では、複数の孔（34）から吹き出される空気の温度は、第１風量調節ユニット（41）に近い程低く、第１風量調節ユニット（41）から遠い程（即ち第２風量調節ユニット（42）に近い程）高くなっている。従って、図２（ａ）では、複数の孔（34）から吹き出される空気の温度は、第１風量調節ユニット（41）側から第３ダクト部（33）の中央を介して第２風量調節ユニット（42）側に向かって、概ね直線的に高くなっている。
【００３７】
図２（ｂ）では、第１及び第２風量調節ユニット（41,42）の両方を運転させて、第１風量（A1）を７５％（強）とする一方で第２風量（A2）を２５％（弱）とした場合を表している。図２（ｂ）では、第１及び第２風量調節ユニット（41,42）の双方から冷たい空気が吹き出されるが、第１風量調節ユニット（41）から吹き出される第１風量（A1）の方が、第２風量（A2）よりも大きい。つまり、第３ダクト部（33）内には、図１及び図２の左側から流入してくる冷たい空気の空気量の方が、図１及び図２の右側よりも多い。そして、第３ダクト部（33）内に両端から流入してきた冷たい空気は、各孔（34）から第３ダクト部（33）外へと吹き出される。故に、図２（ｂ）に示すように、第３ダクト部（33）の約中央と第２風量調節ユニット（42）側の端部との間における第３ダクト部（33）の位置（P1）では、当該位置（P1）付近の孔（34）から吹き出される空気の温度が最も高くなっている。そして、複数の孔（34）から吹き出される空気の温度は、位置（P1）よりも第１風量調節ユニット（41）に近い程低くなり、位置（P1）よりも第２風量調節ユニット（42）に近い程低くなっている。
【００３８】
図２（ｃ）では、第１及び第２風量調節ユニット（41,42）の両方を運転させて、第１風量（A1）及び第２風量（A2）を共に５０％（中）とした場合を表している。図２（ｃ）では、第１及び第２風量調節ユニット（41,42）の双方から冷たい空気が同量吹き出される。つまり、第３ダクト部（33）内には、図１及び図２の左側から流入してくる冷たい空気の量と、図１及び図２の右側から流入してくる冷たい空気の量とは等しい。そして、第３ダクト部（33）内に両端から流入してきた冷たい空気は、各孔（34）から第３ダクト部（33）外へと吹き出される。故に、図２（ｃ）に示すように、第３ダクト部（33）の約中央の位置（P2）では、当該位置（P2）付近の孔（34）から吹き出される空気の温度が最も高くなっている。そして、複数の孔（34）から吹き出される空気の温度は、位置（P2）よりも第１風量調節ユニット（41）に近い程低くなり、位置（P2）よりも第２風量調節ユニット（42）に近い程低くなっている。
【００３９】
このように、第３ダクト部（33）から孔（34）を介して吹き出される空気の温度は、孔（34）の位置によって異なっており、更には第１風量（A1）及び第２風量（A2）によっても、変化する。
【００４０】
しかし、図２（ａ）〜（ｃ）のいずれかの状態のままで孔（34）から空気が吹き出され続けると、イチゴの苗（14）には、概ね一定温度の空気が常に供給されるが、苗（14）の位置に応じてイチゴの苗（14）の周囲温度が異なることとなる。例えば、図２（ａ）の状態のままで空気がイチゴの苗（14）に供給され続けると、第１風量調節ユニット（41）に近い苗（14）の周囲温度ほど低く、第１風量調節ユニット（41）から遠い苗（14）の周囲温度ほど高くなる。このように、複数の苗（14）の周囲温度が不均一となると、苗（14）の位置によって苗（14）の生長速度にムラが生じてしまう。
【００４１】
そこで、本実施形態に係る制御部（50）は、第１風量（A1）と第２風量（A2）とを、時間の経過に応じて、例えば図２（ａ）から図２（ｂ）、図２（ｂ）から図２（ｃ）へと、あえて変化させる。
【００４２】
特に、本実施形態に係る制御部（50）は、第１風量（A1）と第２風量（A2）との合計風量を常に一定（１００％）に保ちながら、第１風量（A1）を増大させつつ第２風量（A2）を減少させ、次いで第１風量（A1）を減少させつつ第２風量（A2）を増大させる動作を、時間の経過と共に第１及び第２風量調節ユニット（41,42）に繰り返し実行させる。
【００４３】
具体的に、制御部（50）は、第１風量（A1）及び第２風量（A2）のパターンとして、図３に示す５つのパターン（パターン１〜パターン５）をメモリに記憶している。制御部（50）は、第１及び第２風量調節ユニット（41,42）に対し、各風量をパターン１〜５のいずれかの状態にして所定時間空気を吹き出させた後、各風量を他のパターン１〜５のいずれかの状態にして所定時間空気を吹き出させる。制御部（50）は、この制御を繰り返す。
【００４４】
図３のパターン１は、第１風量調節ユニット（41）の運転を停止させて第１風量（A1）を０％とするとともに、第２風量調節ユニット（42）を運転させて第２風量（A2）を１００％（最強）とするパターンを表している。この場合、第２風量調節ユニット（42）から第３ダクト部（33）内にのみ空気が送られる。空気調和装置（20）が冷房運転を行っている場合は、図２（ａ）とは逆に、各孔（34）から吹き出される空気の温度は、第２風量調節ユニット（42）側ほど低く、第１風量調節ユニット（41）側ほど高い状態となる。
【００４５】
図３のパターン２は、第１及び第２風量調節ユニット（41,42）の両方を運転させて、第１風量（A1）を２５％（弱）とする一方で第２風量（A2）を７５％（強）とするパターンを表している。空気調和装置（20）が冷房運転を行っている際に、パターン１からパターン２へと遷移されれば、各孔（34）から吹き出される空気の温度の状態は、上述した図２（ａ）とは逆の状態から図２（ｂ）とは逆の状態へと変化する。即ち、パターン２では、第３ダクト部（33）の約中央と第１風量調節ユニット（41）側の端部との間に位置する孔（34）から吹き出される空気の温度が最も高くなり、他の孔（34）から吹き出される空気の温度は、第１及び第２風量調節ユニット（41,42）に近くなる程低くなる。
【００４６】
図３のパターン３は、第１及び第２風量調節ユニット（41,42）の両方を運転させて、第１風量（A1）及び第２風量（A2）を共に５０％（中）とするパターンを表している。パターン２からパターン３へと遷移されれば、各孔（34）から吹き出される空気の温度は、上述した図２（ｂ）とは逆の状態から図２（ｃ）で表された状態へと変化する。
【００４７】
図３のパターン４は、第１及び第２風量調節ユニット（41,42）の両方を運転させて、第１風量（A1）を７５％（大）とする一方で第２風量（A2）を２５％（弱）とするパターンを表している。パターン３からパターン４へと遷移されれば、各孔（34）から吹き出される空気の温度は、図２（ｃ）で表された状態から図２（ｂ）で表された状態へと変化する。
【００４８】
図３のパターン５は、第１風量調節ユニット（41）を運転させて第１風量（A1）を１００％（最強）とすると共に、第２風量調節ユニット（42）を停止させて第２風量（A2）を０％とするパターンを表している。パターン４からパターン５へと遷移されれば、各孔（34）から吹き出される空気の温度は、図２（ｂ）で表された状態から図２（ａ）で表された状態へと変化する。
【００４９】
その後、第１風量（A1）及び第２風量（A2）の割合は、時間の経過と共に、パターン４、パターン３、パターン２、パターン１の順に遷移し、更にその後、再びパターン１、パターン２、パターン３、パターン４、パターン５の順に遷移する。制御部（50）は、このようなパターンの遷移を繰り返し行う。
【００５０】
図３の各パターン１〜５の太い破線矢印の下の「大」「中」「小」は、各孔（34）の位置に対応した各苗（14）に届く風量の大きさを示している。この風量は、各孔（34）の位置での第３ダクト部（33）内の気圧（Pa）を測定し、その気圧の大小に比例するようにして表している。パターン２〜４に示すように、第３ダクト部（33）の両端から空気が送られる場合には、第１風量（A1）及び第２風量（A2）の大きさに従って第３ダクト部（33）内には気圧の高低分布が生じる。例えば、第１風量（A1）が第２風量（A2）よりも多い場合、第１風量調節ユニット（41）側の気圧は、第２風量調節ユニット（42）側よりも低くなる。第３ダクト部（33）内において気圧が最も高い場所は、第１風量（A1）と第２風量（A2）との比率に応じた場所となる。
【００５１】
図３によると、第１風量（A1）及び第２風量（A2）のパターンの変化に応じて、各苗（14）に届く風量の大きさは、時間の経過と共に変化している。しかし、イチゴの苗（14）の位置それぞれにおける風量を積算すると、イチゴの苗（14）の各位置における積算された風量は、苗（14）の位置に左右されることなく概ね一定となっている。即ち、イチゴの苗（14）それぞれにおける周囲温度は、苗（14）の場所に応じた差がさほど生じることがない。このように、第３ダクト部（33）の両端からの空気の風量（A1,A2）を周期的に変化させて積算時間的には風量を平準化させることにより、イチゴの苗（14）の周囲温度は苗（14）の位置に限らず概ね一定となり、イチゴの苗（14）の位置によって苗（14）の生長速度にムラが生じることが抑制される。
【００５２】
＜効果＞
本実施形態の栽培室用送風システム（10）では、植物（14）の配列方向に沿って延設された第３ダクト部（33）の両端から空気が流入できるようになっており、第３ダクト部（33）内に流入した空気は、複数の孔（34）を介してイチゴの苗（14）に供給される。特に本実施形態では、第１風量調節ユニット（41）の第１風量（A1）と第２風量調節ユニット（42）の第２風量（A2）とは、常に一定ではなく、変化する。例えば、第１風量（A1）が第２風量（A2）よりも高い状態から第１風量（A1）と第２風量（A2）とが同等である状態に変化することができる。このように、第１風量（A1）と第２風量（A2）とが変化することで、複数の孔（34）を介してイチゴの苗（14）に届く風量を変化させることができるため、栽培室用送風システム（10）は、イチゴの苗（14）に適した環境を提供することができる。
【００５３】
また、本実施形態では、複数の孔（34）を介してイチゴの苗（14）に空気が供給されることによって該苗（14）の周囲温度が概ね均一となるように、第１風量（A1）と第２風量（A2）とが変化する。これにより、イチゴの苗（14）の周囲温度の温度ムラは生じにくくなり、イチゴの苗（14）の生長は概ね均一となる。
【００５４】
特に、本実施形態では、第１風量（A1）と第２風量（A2）とが、時間の経過に応じて変化する。具体的には、第１及び第２風量調節ユニット（41,42）は、第１風量（A1）と第２風量（A2）との合計風量を一定に保ちながら、第１風量（A1）を増大させつつ第２風量（A2）を減少させ、次いで第１風量（A1）を減少させつつ第２風量（A2）を増大させる動作を、時間の経過と共に繰り返す。これにより、イチゴの苗（14）に供給される風量は、積算すると苗（14）の位置に限らず概ね一定となる。従って、イチゴの苗（14）の周囲温度の温度ムラはより生じにくくなり、イチゴの苗（14）生長はより均一となる。
【００５５】
なお、太陽光型植物工場や施設園芸のハウスでは、太陽の熱や周囲の熱の影響によっても、第３ダクト部（33）の延設方向に沿って並んだ複数の苗（14）の周囲温度には温度差が生じると考えられる。この場合には、上記第１実施形態に示すように、イチゴの苗（14）それぞれの周囲温度が概ね均一となるように、第１風量（A1）と第２風量（A2）とを変化させる手法を採用することが好ましい。
【００５６】
一方で、照明機器を用いてイチゴの苗（14）それぞれに人工光を照射して当該苗（14）を生長させる人工光型植物工場では、苗（14）に供給する風速が、苗（14）の生長に影響を与える要素となる。この場合、各苗（14）に当たる風速が概ね均一となるように、第１風量（A1）と第２風量（A2）とを変化させる手法を採用することが好ましい。これにより、イチゴの苗（14）の周囲における風速のムラは生じにくくなり、イチゴの苗（14）の生長は概ね均一となる。
【００５７】
また、例えば栽培室（S）の環境に応じて、イチゴの苗（14）の周囲温度及び当該苗（14）に当たる風速それぞれが概ね均一となるように、第１風量（A1）と第２風量（A2）とを変化させる手法を採用してもよい。
≪第２実施形態≫
上記第１実施形態では、栽培室用送風システム（10）が、イチゴの苗（14）の周囲温度が概ね均一となるように、第１風量（A1）と第２風量（A2）とを変化させる場合について説明した。本実施形態では、栽培室用送風システム（10）が、イチゴの苗（14）の生長過程に応じて、第１風量（A1）と第２風量（A2）とを変化させる場合について説明する。
【００５８】
本実施形態に係る栽培室用送風システム（10）の構成は、上記第１実施形態と同様である。即ち、栽培室用送風システム（10）は、図１に示すように、イチゴの苗（14）の配列方向に沿って延設された第３ダクト部（33）を有するダクト（30）と、第３ダクト部（33）の一端側から第３ダクト部（33）内に空気を供給する第１風量調節ユニット（41）と、第３ダクト部（33）の他端側から第３ダクト部（33）内に空気を供給する第２風量調節ユニット（42）と、第１風量調節ユニット（41）の第１風量（A1）と第２風量調節ユニット（42）の第２風量（A2）とを変化させる制御部（50）とを備える。
【００５９】
なお、本実施形態の栽培室（S）内には、未だ収穫には至らないイチゴの苗（14）と、収穫直前の状態にあるイチゴの苗（14）とが配列されているとする。未だ収穫には至らないイチゴの苗（14）に適した周囲温度と、収穫直前の状態にあるイチゴの苗（14）に適した周囲温度とは異なっている。
【００６０】
そこで、制御部（50）は、各苗（14）の周囲温度が、当該苗（14）の生長過程に応じた温度となるように、第１風量調節ユニット（41）の第１風量（A1）及び第２風量調節ユニット（42）の第２風量（A2）を変化させる。この場合、イチゴの苗（14）全ての周囲温度が均一とはならないが、各苗（14）の周囲温度は、当該苗（14）の生長過程に応じた温度となる。従って、苗（14）の生長速度におけるバラツキが生じにくくなり、むしろ本実施形態に係る栽培室用送風システム（10）は、イチゴの苗（14）の生長を助長することができる。即ち、本実施形態においても、栽培室送風システム（10）は、イチゴの苗（14）にとって適切な環境を提供できている。
≪その他の実施形態≫
上記第１実施形態において、第１風量（A1）と第２風量（A2）とが時間の経過に応じて変化するパターンは、図３に限定されない。
【００６１】
空気調和装置（20）は設けられていなくても良い。空気調和装置（20）が設けられていない場合、第３ダクト部（33）からは、栽培室（S）外または栽培室（S）内の空気が、風量調節ユニット（41,42）によって風量調節された状態にて、複数の孔（34）それぞれから各苗（14）に向かって吹き出される。
【００６２】
栽培対象となる植物は、イチゴ以外であってもよい。
【産業上の利用可能性】
【００６３】
以上説明したように、本発明は、栽培室内の植物に空気を送るシステムについて有用である。
【符号の説明】
【００６４】
10  栽培用送風システム
20  空気調和装置
30  ダクト
33  第３ダクト部（空気供給路）
34  孔（吹き出し開口）
41  第１風量調節ユニット
42  第２風量調節ユニット
50  制御部
【図１】
2017046625.tif 000003
【図２】
2017046625.tif 000004
【図３】
2017046625.tif 000005